(57)【要約】【課題】  ２値の再生で「記録無」を使用しない安定した記録状態を容易に得ることができる位置検出装置を提供する。【解決手段】２値情報で構成される非繰り返し信号が記録されたアブソリュートトラック１１と上記非繰り返し信号の１単位情報の区間内の読み取り区間を特定する信号が記録されたインクリメンタルトラック１２とを有するスケール部１０を備え、上記インクリメンタルトラック１２に記録されている信号に基づいて特定される上記非繰り返し信号の１単位情報の区間内の読み取り区間で上記アブソリュートトラック１１から上記非繰り返し信号の各１単位情報をアブソリュートパターン検出ヘッド２１により読み取る。上記アブソリュートトラック１１には、上記非繰り返し信号の１単位情報の区間内の上記読み取り区間よりも長い有効区間に各１単位情報が記録されている。【選択図】図２
2014089182.tif 000002
【特許請求の範囲】
【請求項１】
２値情報で構成される非繰り返し信号が記録された第１の記録トラックと上記非繰り返し信号の１単位情報の区間内の読み取り区間を特定する信号が記録された第２の記録トラックとを有する記録媒体と、
上記第２の記録トラックに記録されている信号に基づいて特定される上記非繰り返し信号の１単位情報の区間内の読み取り区間で上記第１の記録トラックから上記非繰り返し信号の各１単位情報を検出ヘッドにより読み取る情報読取手段とを備え、
上記第１の記録トラックには、上記非繰り返し信号の１単位情報の区間内の上記読み取り区間よりも長い有効区間に各１単位情報が記録されていることを特徴とする位置検出装置。
【請求項２】
上記第１の記録トラックは、同一の２値情報で構成される非繰り返し信号が連続する区間の境界部分に、上記有効区間に記録されている情報とは異なる情報が記録された無効区間を有することを特徴とする請求項１記載の位置検出装置。
【請求項３】
上記有効区間の情報と異なる情報が記録された無効区間は、上記有効区間よりも短いことを特徴とする請求項２記載の位置検出装置。
【請求項４】
上記記録媒体は磁気記録媒体であり、
上記情報読取手段は磁気検出ヘッドにより上記第１の記録トラックに記録されている信号と上記第２の記録トラックに記録されている非繰り返し信号を検出することを特徴とする請求項１乃至請求項３の何れか１項に記載の位置検出装置。
【発明の詳細な説明】
【技術分野】
【０００１】
本発明は、例えば金属加工用の工作機械や産業機械、ロボット等に用いられる位置検出装置に関する。
【背景技術】
【０００２】
各種の工作機械や産業用ロボット等の本体機器には、テーブル等の可動部の移動量や移動位置を検出するための位置検出装置が備え付けられている。近年、工作機械を始め産業機械全体が位置検出装置としては所謂アブソリュート型のエンコーダ・スケールを使用するケースが多くなっている。
【０００３】
アブソリュート型のエンコーダ・スケールは、スケール上に記録された非繰り返しコードを読み取ることにより、機械的変位量をそのままバイナリコード等で絶対位置情報として出力するものである。アブソリュート型のエンコーダ・スケールでは、原点に対する位置を常に把握できるため、電源を入れたときに原点を検出する（原点復帰する）必要がない。また、検出ヘッドがスケールから外れても、スケール上の所定の位置に検出ヘッドを戻すことにより、その点の絶対位置が即座に得られる。
【０００４】
従来、多く用いられていたインクリメンタル型のリニアエンコーダでは、装置立ち上げ時或いはトラブル発生時には原点復帰動作を行う必要があったが、アブソリュート型のエンコーダ・スケールは、原点復帰が必要ない点で優れている。
【０００５】
アブソリュート型のエンコーダ・スケールとしては、磁気スケールの着磁部分と無着磁部分との組み合わせによって非繰り返しパターン（Ｍ系列等のＭコードパターン）を使用した絶対値化コードを生成してアブソリュートデータを出力する磁気式アブソリュート型エンコーダが知られている（例えば、特許文献１，２参照）。
【０００６】
上記磁気式アブソリュート型エンコーダでは、Ｍコードパターンを使用した絶対値化コードのパターンコードが記録された磁気スケールから、磁気抵抗効果素子（ＭＲ素子）により絶対値化コードが読み取られる。
【０００７】
磁気抵抗効果素子（ＭＲ素子）としては、強磁性体金属の異方性磁気抵抗（ＡＭＲ：Anisotropic Magneto-Resistive）効果を用いたＡＭＲ素子（例えば、飽和磁界の小さいＮｉ−Ｆｅ膜、ＭＲ変化率の大きいＮｉ−Ｃｏ膜など）や、多層構造からなる磁性膜による結合型巨大磁気抵抗（ＧＭＲ：Giant Magneto-Resistive）効果を用いた磁気抵抗効果素子（ＧＭＲ素子）が知られている。
【０００８】
ＡＭＲ素子は、比較的低い磁界（数Ｏｅ〜数十Ｏｅ）の変化により電気抵抗が変化する。
【０００９】
また、ＧＭＲ素子は、ＡＭＲ素子に比較して抵抗変化率が大きく、そのためＡＭＲ素子に比べ良好なスペーシング特性と高出力を得ることが可能である。さらに、ＧＭＲ効果を示す磁性膜においては、抵抗変化が磁界と電流の相対角度によらず等方的であるため、被検出体からの信号磁界と、感磁パターンの長手方向を平行に配置することにより反磁界の影響を低減することが可能である。
【００１０】
また、Ｓ極とＮ極が交互に規則正しく並んだインクリメンタル（ＩＮＣ）トラックと、Ｍコードパターンを使用した絶対値化コードが記録されたアブソリュート（ＡＢＳ）トラックを併用する位置検出装置では、図３４に示すように、ＡＢＳトラックに記録されるＭコードの［１］と［０］はＩＮＣトラックの１ピッチ＝再生信号の１波長（λ）に相当し、ＩＮＣ１波長（λ）毎に「記録有」と「記録無」がコードの情報に対応して媒体に記録される。
【先行技術文献】
【特許文献】
【００１１】
【特許文献１】特開平９−２６４７６０号公報
【特許文献２】特開２００７−０３３２４５号公報
【発明の概要】
【発明が解決しようとする課題】
【００１２】
ところで、ＡＭＲ素子は磁場の絶対値を測定することはできるが極性は判別できない。
【００１３】
すなわち、ＡＭＲ素子を用いた検出では、基本的にＭＲ素子は素子ストライプ長手方向に直行する方向に素子に加えられる磁場の大きさによって抵抗値が変化する特性を使用している。このとき磁場の方向はどちら向きでも磁場が加われば抵抗値は磁場が無い時の値から減少する。従って、この方法では着磁の方向を判別することができない。
【００１４】
そこで、このＡＭＲ素子を使用する場合は、Ｍコードの各ビットにおける［１］と［０］又は［Ｈ］と［Ｌ］の情報を磁気情報としては「記録有」と「記録無」で対応する。
【００１５】
しかしながら、ＩＮＣ１波長毎に「記録有」と「記録無」がＭコードの［１］と［０］の情報に対応して媒体に記録した場合、「記録無」が対応するビットに隣接する「記録有」のビットは記録幅が広がりＩＮＣトラックの１ピッチ＝再生信号の１波長に正しく対応する信号を記録再生することが難しくなる。
【００１６】
そのため、このような「記録無」が対応するビットに隣接する「記録有」のビットを作成（記録）する場合は記録条件を最適化させて可能な限り正確な情報を再生できるような記録を行うことになるが、このような最適化は単純ではなくコードの並び順にも影響される。
【００１７】
例えば両側が「記録有」でその間に「記録無」がある場合と、連続して「記録有」があり、その隣から「記録無」が続く場合、などではその最適化の条件が異なる。
【００１８】
このようにコードの場所によって最適化をする必要が生じ非常に煩雑な最適化を必要とする。
【００１９】
また、このよう作成した記録媒体から情報を読み出す場合、ＭＲ素子と媒体との距離が離れるに従い媒体からの磁場の大きさが減少するが、最適化された記録は一様の磁化強さにはなっていないため距離の変化に対して一様な減少ではなくなり、それにより再生波形も変化してしまう。そのため、有効に再生できる距離範囲が狭く限定されたものとなる。
【００２０】
一方で、このようなことを避けるために、ＭＲ素子に素子ストライプ長手方向と直行する方向にバイアス磁場を加えて無磁場動作点を変化の中間に移動することによって、磁場の方向を判別できるようにする方法が考えられる（以下、動作点バイアスという。）。
【００２１】
この場合、Ｍコードを検出するセンサ郡に一様な横方向バイアスをかける必要があり、バイアス磁石による方法では磁石が大きくなる欠点があるこのため、横のＩＮＣトラックとの距離を離すなどする必要性から、装置の大型化、コストアップとなる欠点がある。
【００２２】
また、ＭＲ素子以外の磁気デバイス、例えばホール素子を用いた場合、上記のバイアスを必要としないが、一般のホール素子を用いた構成では工作機械、産業機械で必要とする１０ｎｍからサブミクロンの分解能を得ることができるシステムを構成するのが困難である。
【００２３】
また、これら磁気式全体に言えることであるが、Ｍコードの各ビットにおける［１］と［０］又は［Ｈ］と［Ｌ」の同じ情報が連続する箇所では連続する数だけ同一方向の記録すなわち着磁がなされる結果、同じ情報が連続する着磁領域は長い磁石が形成されるのと同等の状態になる。そのため連続の長さ及びＭＲ素子のスペーシング距離との関係によっては、図３４に実線にて示すように、同じ情報が連続する着磁領域すなわち長い磁石の長手方向中央近傍でのＭＲ素子に加わる磁場が弱くなり信号が低下し誤検出を起こす状態になることがある。
【００２４】
さらに同様に、磁気式全体に言えることであるが一般に磁気式では一連の記録ピッチでは磁気の原理に従いスペーシング距離が大きくなるに従い得られる磁場の強さが略エクスポネンシャルに減少するためスペーシング変動に対して素子の変化量は大きく変動する。そのため使用領域が限定される。また、使用領域で安定した信号に成り難い。
【００２５】
上記の様な点を考慮し、現状では商品化している磁気式アブソリュートスケール・エンコーダでは、１０ナノ分解能程度を要求される工作機械、産業機械等用途としては、ＡＭＲ素子を用いていて、動作点バイアスはしない。
【００２６】
従って、２値情報は磁気記録の有無によっている。
【００２７】
また、スケール側は、４Ｍを超える長さ、或いは様々な直径のドラム、円盤形状が要求され、コスト面等から媒体として実現性があるものは塗布媒体、合金磁石媒体等で、いずれも長手方向異方性、又は等方性である。この形状・精度を実現できる垂直媒体は実用化されていない。
【００２８】
一方で、産業機器でも搬送用途などで分解能、精度が上記ほど必要無ければ、同じＭＲ素子を用いても媒体にゴム磁石等を用いることが可能となり、垂直磁気媒体が実用に用いることができる。
【００２９】
また、この方式では「記録有」のビットはどちら向きに着磁しても同じであるので、連続ビットを交互に着磁することができる。これにより、連続ビットを一つの大きな磁極とする問題点が防げる。
【００３０】
このとき着磁の向きが変わる近傍は磁界がへり「記録無」と同じ状態になり信号としては逆になるが、ＡＢＳビット間のずれ、ＩＮＣとＡＢＳのずれ補正のために、図３４に示すように、ＡＢＳセンサを必要ビット数より多く配置して、スケールのずれをそのまま読み取り間違った信号にしない構成を取ることにより防止することができる。
【００３１】
この方法では、ＡＢＳを実際に検出するエリアは１ビット長の５０％〜６０％等（検出システムと余裕度の設定・設計による）一部分となり、信号の安定した領域を検出する。すなわち、図３６に網掛けして示す上記の着磁の変わる近傍に位置するＡＢＳセンサの検出出力は用いない。
【００３２】
このような構成で、磁気式のスケールにおけるＡＢＳトラック部分は、２値情報が磁気記録の有無によっているため、前述のような「記録無」が対応するビットに隣接する「記録有」のビットは記録幅が広がりＩＮＣトラックの１ピッチ＝再生信号の１波長に正しく対応する信号を記録再生することが難しくなる。そのため、このような「記録無」が対応するビットに隣接する「記録有」のビットを作成（記録）する場合は記録条件を最適化させて可能な限り正確な情報を再生できるような記録を行う必要はある等等問題点が多い。
【００３３】
動作点バイアスを用いる場合、２値信号は着磁の向きによって得られる。この場合無着磁部が無く、無着磁部有りに比べより正確な信号を獲るための記録状態、記録条件を得るのが比較的に容易となる利点がある。しかしながら、このままであると連続部が同方向の着磁となり、前記問題点が残る。
【００３４】
この点を改善する方法としてデジタル磁気記録の一手法として周波数変調方式又はバイフェーススペース（Ｂｉ−Ｐｈａｓｅ−Ｓｐａｃｅ）方式等と言われる方式が知られている。
【００３５】
この方式においては、同一値連続ビットであっても磁化反転があるため上記の問題点は発生しない。
【００３６】
しかしながら、この方式において、同一値連続ビットは記録周波数が倍（波長が半分）になる。
【００３７】
したがって、検出センサが読み取る信号磁場強度が少なくなり、スペーシング特性は劣化する。スペーシングに対する磁場の変動が大きく信号変化が大きい。又、この方式をスケールに適用する場合、ちょうど周波数が倍になる関係でこのままでは、１ビットの中の有効検出範囲は５０％止まりであり、その場合も、いわば信号の正負により２値を判別するため、変動がある場合５０％以下になることもあり得るなどの問題が生じる。
【００３８】
本発明は、このような実情に鑑みてなされたものであり、２値の再生で「記録無」を使用しない安定した記録状態を容易に得ることができる位置検出装置を提供することを目的とする。
【００３９】
本発明の他の目的、本発明によって得られる具体的な利点は、以下に説明される実施の形態の説明から一層明らかにされる。
【課題を解決するための手段】
【００４０】
本発明は、位置検出装置であって、２値情報で構成される非繰り返し信号が記録された第１の記録トラックと上記非繰り返し信号の１単位情報の区間内の読み取り区間を特定する信号が記録された第２の記録トラックとを有する記録媒体と、上記第２の記録トラックに記録されている信号に基づいて特定される上記非繰り返し信号の１単位情報の区間内の読み取り区間で上記第１の記録トラックから上記非繰り返し信号の各１単位情報を検出ヘッドにより読み取る情報読取手段とを備え、上記第１の記録トラックには、上記非繰り返し信号の１単位情報の区間内の上記読み取り区間よりも長い有効区間に各１単位情報が記録されていることを特徴とする。
【００４１】
本発明に係る位置検出装置において、上記第１の記録トラックは、同一の２値情報で構成される非繰り返し信号が連続する区間の境界部分に、上記有効区間に記録されている情報とは異なる情報が記録された無効区間を有するものとすることができる。
【００４２】
また、本発明に係る位置検出装置において、上記有効区間の情報と異なる情報が記録された無効区間は、上記有効区間よりも短いものとすることができる。
【００４３】
また、本発明に係る位置検出装置において、上記記録媒体は磁気記録媒体であり、上記情報読取手段は磁気検出ヘッドにより上記第１の記録トラックに記録されている信号と上記第２の記録トラックに記録されている非繰り返し信号を検出するものとすることができる。
【発明の効果】
【００４４】
本発明では、２値の再生で「記録無」を使用しない安定した記録状態を容易に得ることができる。また、同一連続値信号は、倍周波信号となるが、倍周波の交番磁界のスペーシング特性より優れた特性が得られる。また、１ビットの５０％以上の範囲で安定した信号を得ることができる。さらに、上記範囲では使用スペーシング範囲で略一定の磁場強度が得られる。
【図面の簡単な説明】
【００４５】
【図１】本発明を適用した位置検出装置の構成を示すブロック図である。
【図２】上記位置検出装置におけるスケール部のインクリメンタル（ＩＮＣ）トラックとアブソリュート（ＡＢＳ）トラックの構成例を示す模式的な平面図である。
【図３】上記位置検出装置における信号処理部の構成例を示すブロック図である。
【図４】上記位置検出装置におけるヘッド部に備えられるＡＭＲ素子の磁気特性を示す特性図である。
【図５】上記位置検出装置におけるヘッド部に備えられるＴＭＲ素子の磁気特性を示す特性図である。
【図６】上記位置検出装置において、スケール部における着磁比率（有効区間：無効区間）を７：３とし、スペーシング（ＣＬ）を１００μｍとした場合の検出出力の磁場解析結果を示す図である。
【図７】上記位置検出装置において、スケール部における着磁比率（有効区間：無効区間）を７：３とし、スペーシング（ＣＬ）を２００μｍとした場合の検出出力の磁場解析結果を示す図である。
【図８】上記位置検出装置において、スケール部における着磁比率（有効区間：無効区間）を７：３とし、スペーシング（ＣＬ）を３００μｍとした場合の検出出力の磁場解析結果を示す図である。
【図９】上記位置検出装置において、スケール部における着磁比率（有効区間：無効区間）を７：３とし、スペーシング（ＣＬ）を４００μｍとした場合の検出出力の磁場解析結果を示す図である。
【図１０】上記位置検出装置において、スケール部における着磁比率（有効区間：無効区間）を７：３とした場合の連続信号の中央部を倍周波ＩＮＣ信号（絶対値）と比較して示した図であり、（Ａ）はスペーシング（ＣＬ）を１００μｍとした場合、（Ｂ）はスペーシング（ＣＬ）を２００μｍとした場合、（Ｃ）はスペーシング（ＣＬ）を３００μｍとした場合、（Ｄ）はスペーシング（ＣＬ）を４００μｍとした場合を示している。
【図１１】スペーシング特性の検出位置を示す図である。
【図１２】図１０に示した手法で検出したスペーシング特性を示す図であり、（Ａ）はスケール部における着磁比率（有効区間：無効区間）を７：３とした場合を示し（Ｂ）は倍周波ＩＮＣ信号の場合を示している。
【図１３】上記位置検出装置において、スケール部における着磁比率（有効区間：無効区間）を５：５〜１０：０の間で変更して磁場解析を行いスペーシングの影響を調べた７箇所の検出領域（Ａ〜Ｇ）を示す図である。
【図１４】上記位置検出装置において、スケール部における着磁比率（有効区間：無効区間）を５：５とし、スペーシング（ＣＬ）を１００μｍ，２００μｍ，３００μｍ，４００μｍとした場合の上記７箇所の検出領域（Ａ〜Ｇ）の両端の磁場を示す図である。
【図１５】上記位置検出装置において、スケール部における着磁比率（有効区間：無効区間）を５：５とした磁場解析から得られた各スペーシング（ＣＬ＝１００μｍ，２００μｍ，３００μｍ，４００μｍ）での連続記録部の出力磁場を示す図である。
【図１６】上記位置検出装置において、スケール部における着磁比率（有効区間：無効区間）を５：５とした磁場解析から得られた各スペーシング（ＣＬ）での記録トラック部及び周囲への磁場強度分布を示す図であり、（Ａ）はスペーシング（ＣＬ）を１００μｍとした場合、（Ｂ）はスペーシング（ＣＬ）を２００μｍとした場合、（Ｃ）はスペーシング（ＣＬ）を３００μｍとした場合、（Ｄ）はスペーシング（ＣＬ）を４００μｍとした場合を示している（参考図としてカラー図を提出する。）。
【図１７】上記位置検出装置において、スケール部における着磁比率（有効区間：無効区間）を６：４とし、スペーシング（ＣＬ）を１００μｍ，２００μｍ，３００μｍ，４００μｍとした場合の上記７箇所の検出領域（Ａ〜Ｇ）の両端の磁場を示す図である。
【図１８】上記位置検出装置において、スケール部における着磁比率（有効区間：無効区間）を６：４とした磁場解析から得られた各スペーシング（ＣＬ＝１００μｍ，２００μｍ，３００μｍ，４００μｍ）での連続記録部の出力磁場を示す図である。
【図１９】上記位置検出装置において、スケール部における着磁比率（有効区間：無効区間）を６：４とした磁場解析から得られた各スペーシング（ＣＬ）での記録トラック部及び周囲への磁場強度分布を示す図であり、（Ａ）はスペーシング（ＣＬ）を１００μｍとした場合、（Ｂ）はスペーシング（ＣＬ）を２００μｍとした場合、（Ｃ）はスペーシング（ＣＬ）を３００μｍとした場合、（Ｄ）はスペーシング（ＣＬ）を４００μｍとした場合を示している（参考図としてカラー図を提出する。）。
【図２０】上記位置検出装置において、スケール部における着磁比率（有効区間：無効区間）を７：３とし、スペーシング（ＣＬ）を１００μｍ，２００μｍ，３００μｍ，４００μｍとした場合の上記７箇所の検出領域（Ａ〜Ｇ）の両端の磁場を示す図である。
【図２１】上記位置検出装置において、スケール部における着磁比率（有効区間：無効区間）を７：３とした磁場解析から得られた各スペーシング（ＣＬ＝１００μｍ，２００μｍ，３００μｍ，４００μｍ）での連続記録部の出力磁場を示す図である。
【図２２】上記位置検出装置において、スケール部における着磁比率（有効区間：無効区間）を７：３とした磁場解析から得られた各スペーシング（ＣＬ）での記録トラック部及び周囲への磁場強度分布を示す図であり、（Ａ）はスペーシング（ＣＬ）を１００μｍとした場合、（Ｂ）はスペーシング（ＣＬ）を２００μｍとした場合、（Ｃ）はスペーシング（ＣＬ）を３００μｍとした場合、（Ｄ）はスペーシング（ＣＬ）を４００μｍとした場合を示している（参考図としてカラー図を提出する。）。
【図２３】上記位置検出装置において、スケール部における着磁比率（有効区間：無効区間）を８：２とし、スペーシング（ＣＬ）を１００μｍ，２００μｍ，３００μｍ，４００μｍとした場合の上記７箇所の検出領域（Ａ〜Ｇ）の両端の磁場を示す図である。
【図２４】上記位置検出装置において、スケール部における着磁比率（有効区間：無効区間）を８：２とした磁場解析から得られた各スペーシング（ＣＬ＝１００μｍ，２００μｍ，３００μｍ，４００μｍ）での連続記録部の出力磁場を示す図である。
【図２５】上記位置検出装置において、スケール部における着磁比率（有効区間：無効区間）を８：２とした磁場解析から得られた各スペーシング（ＣＬ）での記録トラック部及び周囲への磁場強度分布を示す図であり、（Ａ）はスペーシング（ＣＬ）を１００μｍとした場合、（Ｂ）はスペーシング（ＣＬ）を２００μｍとした場合、（Ｃ）はスペーシング（ＣＬ）を３００μｍとした場合、（Ｄ）はスペーシング（ＣＬ）を４００μｍとした場合を示している（参考図としてカラー図を提出する。）。
【図２６】上記位置検出装置において、スケール部における着磁比率（有効区間：無効区間）を９：１とし、スペーシング（ＣＬ）を１００μｍ，２００μｍ，３００μｍ，４００μｍとした場合の上記７箇所の検出領域（Ａ〜Ｇ）の両端の磁場を示す図である。
【図２７】上記位置検出装置において、スケール部における着磁比率（有効区間：無効区間）を９：１とした磁場解析から得られた各スペーシング（ＣＬ＝１００μｍ，２００μｍ，３００μｍ，４００μｍ）での連続記録部の出力磁場を示す図である。
【図２８】上記位置検出装置において、スケール部における着磁比率（有効区間：無効区間）を９：１とした磁場解析から得られた各スペーシング（ＣＬ）での記録トラック部及び周囲への磁場強度分布を示す図であり、（Ａ）はスペーシング（ＣＬ）を１００μｍとした場合、（Ｂ）はスペーシング（ＣＬ）を２００μｍとした場合、（Ｃ）はスペーシング（ＣＬ）を３００μｍとした場合、（Ｄ）はスペーシング（ＣＬ）を４００μｍとした場合を示している（参考図としてカラー図を提出する。）。
【図２９】上記位置検出装置において、スケール部における着磁比率（有効区間：無効区間）を１０：０とし、スペーシング（ＣＬ）を１００μｍ，２００μｍ，３００μｍ，４００μｍとした場合の上記７箇所の検出領域（Ａ〜Ｇ）の両端の磁場を示す図である。
【図３０】上記位置検出装置において、スケール部における着磁比率（有効区間：無効区間）を１０：０とした磁場解析から得られた各スペーシング（ＣＬ＝１００μｍ，２００μｍ，３００μｍ，４００μｍ）での連続記録部の出力磁場を示す図である。
【図３１】上記位置検出装置において、スケール部における着磁比率（有効区間：無効区間）を１０：０とした磁場解析から得られた各スペーシング（ＣＬ）での記録トラック部及び周囲への磁場強度分布を示す図であり、（Ａ）はスペーシング（ＣＬ）を１００μｍとした場合、（Ｂ）はスペーシング（ＣＬ）を２００μｍとした場合、（Ｃ）はスペーシング（ＣＬ）を３００μｍとした場合、（Ｄ）はスペーシング（ＣＬ）を４００μｍとした場合を示している（参考図としてカラー図を提出する。）。
【図３２】上記位置検出装置において、スペーシング（ＣＬ）を３００μｍとした場合の磁場強度の着磁比率別に示した図である。
【図３３】本発明を適用した光学スケールの構成例を示す模式的な平面図である。
【図３４】上記位置検出装置において、スケール部における着磁比率（有効区間：無効区間）を７：３とし、連続記録部における無効区間を１つおきに有効区間と反対向きの着磁方向にした磁場解析から得られた各スペーシング（ＣＬ＝１００μｍ，２００μｍ，３００μｍ，４００μｍ）での連続記録部の出力磁場を示す図である。
【図３５】上記位置検出装置において、スペーシング（ＣＬ） を１００μｍとした場合に、アブソリュートパターン検出ヘッドにより検出される磁場の状態を磁場解析した結果を上記同じ情報が連続する領域を１つの長磁石とした場合の磁場の状態を磁場解析した結果とともに示す図である。
【図３６】現行の位置検出装置におけるインクリメンタル（ＩＮＣ）トラックとアブソリュート（ＡＢＳ）トラックの構成例を示す模式的な平面図である。
【発明を実施するための形態】
【００４６】
以下、本発明を実施するための形態について、図面を参照しながら詳細に説明する。
【００４７】
本発明は、例えば図１に示すような構成の位置検出装置１００に適用される。
【００４８】
この位置検出装置１００は、スケール部１０とヘッド部２０と演算処理部３０からなる。
【００４９】
スケール部１０は、計測方向の絶対値を表すＭコードパターン（アブソリュートパターン）を磁気記録したアブソリュート（ＡＢＳ）トラック１１と、上記計測方向に沿ってＳ極とＮ極が交互に規則正しく並んだインクリメンタル（ＩＮＣ）トラック１２を有する。
【００５０】
ここで、この位置検出装置１００において、上記スケール部１０のアブソリュート（ＡＢＳ）トラック１１は、図２に示すように、上記計測方向の絶対値を表すＭコードパターン（アブソリュートパターン）として、２値情報で構成される非繰り返し信号が記録された第１の記録トラックであり、また、上記スケール部１０のインクリメンタル（ＩＮＣ）トラック１２は、上記非繰り返し信号の１単位情報の区間（Ｔ０）内の読み取り区間（Ｔ１）を特定する信号が記録された第２の記録トラック（ＩＮＣ）である。上記第１の記録トラックすなわちアブソリュート（ＡＢＳ）トラック１１には、上記非繰り返し信号の１単位情報の区間（Ｔ０）内の上記読み取り区間（Ｔ１）よりも長い有効区間（Ｔ２）に各１単位情報が記録されている。
【００５１】
上記アブソリュート（ＡＢＳ）トラック１１における最大の磁化長さは１ビット、すなわち、上記非繰り返し信号の１単位情報の区間（Ｔ０）であり、Ｓ極とＮ極が交互に規則正しく並んだインクリメンタル（ＩＮＣ）トラック１２の１ピッチに対応するインクリメンタル信号の１波長（λ）に等しい。
【００５２】
そして、この位置検出装置１００における上記スケール部１０のアブソリュート（ＡＢＳ）トラック１１は、Ｍコードパターンの［１］，［０］を磁化方向により表しており、同一の２値情報で構成される非繰り返し信号が連続する区間の境界部分に、上記有効区間（Ｔ２）に記録されている情報とは異なる情報が記録された無効区間（Ｔ３）を有する。
【００５３】
上記有効区間（Ｔ２）の情報と異なる情報が記録された無効区間（Ｔ３）は、上記有効区間（Ｔ２）よりも短い。ここでは、上記有効区間（Ｔ２）と上記無効区間（Ｔ３）を７：３としてある。
【００５４】
このような構成のアブソリュート（ＡＢＳ）トラック１１は、計測方向に沿って磁化反転を交互に繰り返す磁化パターンとして、図２に示すように、計測方向の絶対値を表す例えば１６ビットのＭコードパターン（アブソリュートパターン）が磁気記録されたものとなっている。
【００５５】
また、ヘッド部２０は、図３に示すように、上記スケール部１０のアブソリュートトラック１１からアブソリュートパターンを検出する複数個のＭＲ検出素子からなるアブソリュートパターン検出ヘッド２１と、上記スケール部１０のインクリメンタルトラック１２からインクリメンタル信号を検出する２個のインクリメンタル信号検出ヘッド２２Ａ，２２Ｂを有する。
【００５６】
ここで、上記アブソリュートパターン検出ヘッド２１は、計測方向の絶対値を表すＭコードパターン（アブソリュートパターン）のビット数の２倍の数のＭＲ検出素子が１ビットの１／２間隔で配置されている。
【００５７】
上記ヘッド部２０は、上記スケール部１０のインクリメンタルトラック１２に記録されているインクリメンタル（ＩＮＣ）信号を上記インクリメンタル信号検出ヘッド２２Ａ，２２Ｂにより検出し、検出したインクリメンタル（ＩＮＣ）信号に基づいて特定される上記非繰り返し信号すなわちＭコード信号の１単位情報の区間内の読み取り区間で上記アブソリュートトラック１１から上記Ｍコード信号の各１単位情報をアブソリュートパターン検出ヘッド２１により読み取る情報読取手段として機能する。
【００５８】
また、この位置検出装置１００において、演算処理部３０は、その構成例を図３のブロック図に示すように、Ｓ／Ｈ＆アナログセレクタ３１、Ａ／Ｄ変換器３２，３２Ａ，３２Ｂ、読み取り補償部３３、補正回路３４、ルックアップテーブル３５、Ｍコード変換部３６、加算部３７、シリアルインターフェース部３８等からなる。
【００５９】
Ｓ／Ｈ＆アナログセレクタ３１には、上記スケール部１０のアブソリュートトラック１１からアブソリュートパターンを検出する複数個のＭＲ検出素子からなるアブソリュートパターン検出ヘッド２１が接続されている。
【００６０】
Ｓ／Ｈ＆アナログセレクタ３１は、上記アブソリュートパターン検出ヘッド２１の複数個のＭＲ検出素子により得られる各検出出力をサンプルホールドして１６ビットのＭコードパターンに対応するアナログ信号を出力する。
【００６１】
このＳ／Ｈ＆アナログセレクタ３１により選択された１６ビットのＭコードパターンに対応するアナログ信号は、Ａ／Ｄ変換器３２によりデジタル信号に変換される。
【００６２】
また、Ａ／Ｄ変換器３２Ａ，３２Ｂには、上記スケール部１０のインクリメンタルトラック１２からインクリメンタル信号を検出する２個のインクリメンタル信号検出ヘッド２２Ａ，２２Ｂが接続されている。
【００６３】
上記２個のインクリメンタル信号検出ヘッド２２Ａ，２２Ｂによる検出出力として得られるＩＮＣ信号は、λ周期のｓｉｎ信号（ｓｉｎ（Ｘ２π／λ））とｃｏｓ信号（ｃｏｓ（Ｘ２π／λ））であって、上記Ａ／Ｄ変換器３２Ａ，３２Ｂによりでデジタル信号に変換されて補正回路３４に入力される。
【００６４】
補正回路３４では、上記２個のインクリメンタル信号検出ヘッド２２Ａ，２２Ｂにより得られるＩＮＣ信号検出出力について、利得、オフセット、位相等の補正を行い、ルックアップテーブル３５を参照して、高分解能化した位置情報を算出し、算出した位置情報を読み取り補償部３３及び加算部３７に入力する。
【００６５】
この位置検出装置１００では、読み取り補償部３３で、３５から出力された位置情報を基にＡ／Ｄ変換器３２で変換されたデジタル信号のうち、Ｍコードパターンの読み取り区間（Ｔ１）にあるセンサの信号を選択する。
【００６６】
上記読み取り補償部３３により読み取り補償された上記Ｍコードパターンの検出信号は、Ｍコード変換部３６によりＭコード信号からバイナリ信号に変換されて加算器３７に供給される。
【００６７】
そして、加算器３７は、上記Ｍコード変換部３６から供給される計測方向の絶対値を表すバイナリ信号と、上記補正回路３４によりＩＮＣ信号から得られる上記高分解能化した位置情報をあわせて得られる情報を、この位置検出装置１００による位置検出出力としてシリアルインターフェース部３８を介して出力する。
【００６８】
ここで、この位置検出装置１００における上記Ｍコードパターンを検出するアブソリュートパターン検出ヘッド２１を構成するＭＲ素子としては、強磁性体の異方性磁気抵抗（ＡＭＲ：Anisotropic Magneto-Resistive）効果を利用したＡＭＲ素子、強磁性体と非磁性体との積層構造で大きな抵抗変化率を生じる巨大磁気抵抗（ＧＭＲ：Giant Magneto-Resistive）効果を利用したＧＭＲ素子、非磁性絶縁層を介して積層した一対の磁性層の磁化方向の相対角度により素子の電気抵抗値が異なるトンネル磁気抵抗（ＴＭＲ：Tunnel Magneto-Resistive）効果を利用したＴＭＲ素子などが使用可能である。
【００６９】
位置検出装置に用いる一般的なＭＲセンサについては、上記位置検出装置１００におけるヘッド部２０に備えられるアブソリュートパターン検出ヘッド２１をＡＭＲ素子またはＧＭＲ素子で構成する場合、ＡＭＲ素子またはＧＭＲ素子は、その磁気特性を図４に示すように、磁場強度のみに対応して抵抗変化を生じるので、外部よりバイアス磁場をかけて無磁場動作点を移動することにより、磁場の方向を判別することができ、上述の如くＭコードパターンの［１］，［０］を磁化方向により表すように記録したアブソリュート（ＡＢＳ）トラック１１から上記Ｍコードパターンの［１］，［０］の情報を検出することができる。
【００７０】
また、上記位置検出装置１００におけるヘッド部２０に備えられるアブソリュートパターン検出ヘッド２１をＴＭＲ素子で構成する場合、ＴＭＲ素子は、そのＴＭＲ磁気特性を図５に示すように、磁場の正負によって出力変化の方向が変わる特性となるように素子を構成することが容易にできるので、外部からのバイアス磁場を必要とすることなく、磁場の方向を判別することができ、上記アブソリュート（ＡＢＳ）トラック１１から上記Ｍコードパターンの［１］，［０］の情報を検出することができる。
【００７１】
なお、アブソリュートパターン検出ヘッド２１は、ＧＭＲ素子やＴＭＲ素子で構成したほうが、外部磁場に対する抵抗変化率（ＭＲ比）を大きくでき、また抵抗変化率（ＭＲ比）の直線性を得ることができ、高精度な外部磁場検知を行うことが可能である。
【００７２】
次に、上記位置検出装置１００において、スケール部１０におけるアブソリュート（ＡＢＳ）トラック１１に記録されたＭコードの各ビットが同じ情報、すなわち、［１］又は［０］が連続する領域における着磁比率（有効区間：無効区間）を７：３とした場合で、アブソリュート（ＡＢＳ）トラック１１をＢｒ＝４０００，Ｈｃ５００の記録媒体で構成するものとして、各スペーシング（ＣＬ＝１００，２００，３００，４００）でアブソリュートパターン検出ヘッド２１により検出される磁場（Ａ１，Ａ２，Ａ３，Ａ４）の状態を磁場解析した結果を上記同じ情報が連続する領域を１つの長磁石とした場合の磁場（Ｂ１，Ｂ２，Ｂ３，Ｂ４）の状態を磁場解析した結果とともに図６〜図９に示す。
【００７３】
図６は、上記位置検出装置１００において、スペーシング（ＣＬ）を１００μｍとした場合に、アブソリュートパターン検出ヘッド２１により検出される磁場Ａ１を、長磁石とした場合の磁場Ｂ１とともに示している。
【００７４】
図７は、上記位置検出装置１００において、スペーシング（ＣＬ）を２００μｍとした場合に、アブソリュートパターン検出ヘッド２１により検出される磁場Ａ２を、長磁石とした場合の磁場Ｂ２とともに示している。
【００７５】
図８は、上記位置検出装置１００において、スペーシング（ＣＬ）を３００μｍとした場合に、アブソリュートパターン検出ヘッド２１により検出される磁場Ａ３を、長磁石とした場合の磁場Ｂ３とともに示している。
【００７６】
図９は、上記位置検出装置１００において、スペーシング（ＣＬ）を４００μｍとした場合に、アブソリュートパターン検出ヘッド２１により検出される磁場Ａ４を、長磁石とした場合の磁場Ｂ４とともに示している。
【００７７】
図６，図７から明らかなように、上記位置検出装置１００では、スペーシング（ＣＬ）を１００μｍ又は２００μｍとした場合に、アブソリュートパターン検出ヘッド２１により検出される磁場Ａ１,Ａ２は、長磁石とした場合の磁場Ｂ１と比較して、中央部部分で良好な検出出力が得られる。
【００７８】
さらに、上記位置検出装置１００において、各スペーシング（ＣＬ＝１００μｍ，２００μｍ，３００μｍ，４００μｍ）でアブソリュートパターン検出ヘッド２１により検出される上記同じ情報が連続する領域の中央部の磁場（Ａ５，Ａ６，Ａ７，Ａ８）の状態を磁場解析した結果を倍周波インクリメンタル（ＩＮＣ）信号（絶対値）の磁場（Ｂ５，Ｂ６，Ｂ７，Ｂ８）の状態を磁場解析した結果とともに図１０の（Ａ）〜（Ｄ）に示す。図１０の（Ａ）はスペーシング（ＣＬ）を１００μｍとした場合、（Ｂ）はスペーシング（ＣＬ）を２００μｍとした場合、（Ｃ）はスペーシング（ＣＬ）を３００μｍとした場合、（Ｄ）はスペーシング（ＣＬ）を４００μｍとした場合を示している。
【００７９】
上記位置検出装置１００において、各スペーシング（ＣＬ＝１００μｍ，２００μｍ，３００μｍ，４００μｍ）とし、図１１に示す検出領域の両端位置、すなわち、上記アブソリュートパターン検出ヘッド２１により検出される上記同じ情報が連続する領域の中央部の磁場Ａ９の検出領域における最小磁場は、図１２の（Ａ）に示すように、各スペーシング（ＣＬ＝２００μｍ，３００μｍ，４００μｍ）で略一定値となる。
【００８０】
これに対し、上記図１１に示す検出領域の両端位置において、上記アブソリュートパターン検出ヘッド２１により検出される倍周波インクリメンタル（ＩＮＣ）信号（絶対値）の磁場（Ｂ９）は、図１２の（Ｂ）に示すように、各スペーシング（ＣＬ＝１００μｍ，２００μｍ，３００μｍ，４００μｍ）で大きく変動した値となる。
【００８１】
すなわち、上記位置検出装置１００におけるアブソリュート（ＡＢＳ）トラック１１の上記同じ情報が連続する領域において上記アブソリュートパターン検出ヘッド２１により検出される上記同じ情報が連続する領域の中央部の磁場Ａ９の検出領域における最小磁場は、倍周波の交番磁界のスペーシング特性より優れた特性が得られる。また、１ビットの５０％以上の範囲で安定した信号を得ることができ、さらに、上記範囲では使用スペーシング範囲で略一定の磁場強度が得られる。
【００８２】
また、上記位置検出装置１００において、スケール部１０における同じ情報が連続する領域の着磁比率（有効区間：無効区間）を５：５〜１０：０の間で変更して磁場解析を行い、図１３に示す７箇所の検出領域（Ａ〜Ｇ）においてスペーシング（ＣＬ）による上記最小磁場の変化を確認したところ、次のような結果が得られた。
【００８３】
すなわち、上記同じ情報が連続する領域の中央部の磁場は、着磁比率（有効区間：無効区間）を５：５とした場合、上記７箇所の検出領域（Ａ〜Ｇ）の両端の両端位置において、上記アブソリュートパターン検出ヘッド２１により検出される最小磁場を各スペーシング（ＣＬ＝１００μｍ，２００μｍ，３００μｍ，４００μｍ）でプロットすると図１４に示すように、０又は負の値となり、Ｍコード情報の誤検出の虞がある。
【００８４】
なお、上記着磁比率（有効区間：無効区間）を５：５とした磁場解析から得られた各スペーシング（ＣＬ＝１００μｍ，２００μｍ，３００μｍ，４００μｍ）での上記同じ情報が連続する領域の磁場を図１５に示す。また、上記着磁比率（有効区間：無効区間）を５：５とした磁場解析から得られた各スペーシング（ＣＬ＝１００μｍ，２００μｍ，３００μｍ，４００μｍ）での記録トラック部及び周囲への磁場強度分布を図１６に示す。図１６（参考図としてカラー図を提出する。）において、青色領域ＡＲｂは磁場の強さが０Ｏｅの領域を示し、赤色領域ＡＲｒは強さが１０Ｏｅ以上の領域を示している。また、図１６において、（Ａ）はスペーシング（ＣＬ）を１００μｍとした場合、（Ｂ）はスペーシング（ＣＬ）を２００μｍとした場合、（Ｃ）はスペーシング（ＣＬ）を３００μｍとした場合、（Ｄ）はスペーシング（ＣＬ）を４００μｍとした場合を示している。
【００８５】
これに対し、上記位置検出装置１００において、スケール部１０における同じ情報が連続する領域の着磁比率（有効区間：無効区間）を６：４とした場合、上記７箇所の検出領域（Ａ〜Ｇ）の両端の両端位置において、上記アブソリュートパターン検出ヘッド２１により検出される最小磁場を各スペーシング（ＣＬ＝１００μｍ，２００μｍ，３００μｍ，４００μｍ）でプロットすると図１７に示すように、全て正の値となり、各スペーシング（ＣＬ＝２００μｍ，３００μｍ，４００μｍ）で略一定値となる。
【００８６】
なお、上記着磁比率（有効区間：無効区間）を６：４とした磁場解析から得られた各スペーシング（ＣＬ＝１００μｍ，２００μｍ，３００μｍ，４００μｍ）での上記同じ情報が連続する領域の磁場を図１８に示す。また、上記着磁比率（有効区間：無効区間）を６：４とした磁場解析から得られた各スペーシング（ＣＬ＝１００μｍ，２００μｍ，３００μｍ，４００μｍ）での記録トラック部及び周囲への磁場強度分布を図１９に示す。図１９（参考図としてカラー図を提出する。）において、青色領域ＡＲｂは磁場の強さが０Ｏｅの領域を示し、赤色領域ＡＲｒは強さが１０Ｏｅ以上の領域を示している。また、図１９において、（Ａ）はスペーシング（ＣＬ）を１００μｍとした場合、（Ｂ）はスペーシング（ＣＬ）を２００μｍとした場合、（Ｃ）（ＣＬ）はスペーシングを３００μｍとした場合、（Ｄ）はスペーシング（ＣＬ）を４００μｍとした場合を示している。
【００８７】
また、上記位置検出装置１００において、スケール部１０における同じ情報が連続する領域の着磁比率（有効区間：無効区間）を７：３とした場合、上記７箇所の検出領域（Ａ〜Ｇ）の両端の両端位置において、上記アブソリュートパターン検出ヘッド２１により検出される最小磁場を各スペーシング（ＣＬ＝１００μｍ，２００μｍ，３００μｍ，４００μｍ）でプロットすると図２０に示すように、全て正の値となり、各スペーシング（ＣＬ＝２００μｍ，３００μｍ，４００μｍ）で略一定値となる。
【００８８】
なお、上記着磁比率（有効区間：無効区間）を７：３とした磁場解析から得られた各スペーシング（ＣＬ＝１００μｍ，２００μｍ，３００μｍ，４００μｍ）での上記同じ情報が連続する領域の磁場を図２１に示す。また、上記着磁比率（有効区間：無効区間）を７：３とした磁場解析から得られた各スペーシング（ＣＬ＝１００μｍ，２００μｍ，３００μｍ，４００μｍ）での記録トラック部及び周囲への磁場強度分布を図２２に示す。図２２（参考図としてカラー図を提出する。）において、青色領域ＡＲｂは磁場の強さが０Ｏｅの領域を示し、赤色領域ＡＲｒは強さが１０Ｏｅ以上の領域を示している。また、図２２において、（Ａ）はスペーシング（ＣＬ）を１００μｍとした場合、（Ｂ）はスペーシング（ＣＬ）を２００μｍとした場合、（Ｃ）はスペーシング（ＣＬ）を３００μｍとした場合、（Ｄ）はスペーシング（ＣＬ）を４００μｍとした場合を示している。
【００８９】
また、上記位置検出装置１００において、スケール部１０における同じ情報が連続する領域の着磁比率（有効区間：無効区間）を８：２とした場合、上記７箇所の検出領域（Ａ〜Ｇ）の両端の両端位置において、上記アブソリュートパターン検出ヘッド２１により検出される最小磁場を各スペーシング（ＣＬ＝１００μｍ，２００μｍ，３００μｍ，４００μｍ）でプロットすると図２３に示すように、全て正の値となり、各スペーシング（ＣＬ＝２００μｍ，３００μｍ，４００μｍ）で略一定値となる。
【００９０】
なお、上記着磁比率（有効区間：無効区間）を８：２とした磁場解析から得られた各スペーシング（ＣＬ＝１００μｍ，２００μｍ，３００μｍ，４００μｍ）での上記同じ情報が連続する領域の磁場を図２４に示す。また、上記着磁比率（有効区間：無効区間）を８：２とした磁場解析から得られた各スペーシング（ＣＬ＝１００μｍ，２００μｍ，３００μｍ，４００μｍ）での記録トラック部及び周囲への磁場強度分布を図２５に示す。図２５（参考図としてカラー図を提出する。）において、青色領域ＡＲｂは磁場の強さが０Ｏｅの領域を示し、赤色領域ＡＲｒは強さが１０Ｏｅ以上の領域を示している。また、図２５において、（Ａ）はスペーシング（ＣＬ）を１００μｍとした場合、（Ｂ）はスペーシング（ＣＬ）を２００μｍとした場合、（Ｃ）はスペーシング（ＣＬ）を３００μｍとした場合、（Ｄ）はスペーシング（ＣＬ）を４００μｍとした場合を示している。
【００９１】
また、上記位置検出装置１００において、スケール部１０における同じ情報が連続する領域の着磁比率（有効区間：無効区間）を９：１とした場合、上記７箇所の検出領域（Ａ〜Ｇ）の両端の両端位置において、上記アブソリュートパターン検出ヘッド２１により検出される最小磁場を各スペーシング（ＣＬ＝１００μｍ，２００μｍ，３００μｍ，４００μｍ）でプロットすると図２６に示すように、全て正の値となり、各スペーシング（ＣＬ＝２００μｍ，３００μｍ，４００μｍ）で略一定値となる。
【００９２】
なお、上記着磁比率（有効区間：無効区間）を９：１とした磁場解析から得られた各スペーシング（ＣＬ＝１００μｍ，２００μｍ，３００μｍ，４００μｍ）での上記同じ情報が連続する領域の磁場を図２７に示す。また、上記着磁比率（有効区間：無効区間）を９：１とした磁場解析から得られた各スペーシング（ＣＬ＝１００μｍ，２００μｍ，３００μｍ，４００μｍ）での記録トラック部及び周囲への磁場強度分布を図２８に示す。図２８（参考図としてカラー図を提出する。）において、青色領域ＡＲｂは磁場の強さが０Ｏｅの領域を示し、赤色領域ＡＲｒは強さが１０Ｏｅ以上の領域を示している。また、図２８において、（Ａ）はスペーシング（ＣＬ）を１００μｍとした場合、（Ｂ）はスペーシング（ＣＬ）を２００μｍとした場合、（Ｃ）はスペーシング（ＣＬ）を３００μｍとした場合、（Ｄ）はスペーシング（ＣＬ）を４００μｍとした場合を示している。
【００９３】
ここで、上記位置検出装置１００において、スケール部１０における同じ情報が連続する領域の着磁比率（有効区間：無効区間）を１０：０とした場合、上記７箇所の検出領域（Ａ〜Ｇ）の両端の両端位置において、上記アブソリュートパターン検出ヘッド２１により検出される最小磁場を各スペーシング（ＣＬ＝１００μｍ，２００μｍ，３００μｍ，４００μｍ）でプロットすると図２９のようになる。
【００９４】
また、上記着磁比率（有効区間：無効区間）を１０：０とした磁場解析から得られた各スペーシング（ＣＬ＝１００μｍ，２００μｍ，３００μｍ，４００μｍ）での上記同じ情報が連続する領域の磁場は図３０のようになる。さらに、上記着磁比率（有効区間：無効区間）を１０：０とした磁場解析から得られた各スペーシング（ＣＬ＝１００μｍ，２００μｍ，３００μｍ，４００μｍ）での記録トラック部及び周囲への磁場強度分布を図３１に示す。図３１（参考図としてカラー図を提出する。）において、青色領域ＡＲｂは磁場の強さが０Ｏｅの領域を示し、赤色領域ＡＲｒは強さが１０Ｏｅ以上の領域を示している。また、図３１において、（Ａ）はスペーシング（ＣＬ）を１００μｍとした場合、（Ｂ）はスペーシング（ＣＬ）を２００μｍとした場合、（Ｃ）はスペーシング（ＣＬ）を３００μｍとした場合、（Ｄ）はスペーシング（ＣＬ）を４００μｍとした場合を示している。
【００９５】
さらに、上記位置検出装置１００において、上記スケール部１０におけるアブソリュートトラック１１とインクリメントトラック１２との間隔を１ｍｍとすることを想定して、スペーシング（ＣＬ）を３００μｍとした場合の磁場の拡がり、すなわち、記録トラック外への磁場の漏れ量を磁場解析した結果を図３２に示す。
【００９６】
上記位置検出装置１００では、スケール部１０のアブソリュートトラック１１における同じ情報が連続する領域の着磁比率（有効区間：無効区間）を５：５〜１０：０の間で変更して磁場解析を行った結果から明らかなように、スケール部１０における同じ情報が連続する領域において上記アブソリュートパターン検出ヘッド２１により検出される上記検出領域の両端で検出される最小磁場の値は、６：４〜９：１のいずれの着磁比率（有効区間：無効区間）においても、各スペーシング（ＣＬ＝２００μｍ，３００μｍ，４００μｍ）に拘わらず略一定である。また、上記着磁比率（有効区間：無効区間）が大きくなると、得られる磁場強度は大きくなる。さらに、上記着磁比率（有効区間：無効区間）が大きくなると、長磁石の状態に近づくため記録トラック外部に経漏洩した磁場が大きくなる。
【００９７】
したがって、アブソリュートトラック１１の磁場強度とインクリメントトラック１２に対するトラック間距離はトレードオフの関係になるため、実際の使用から鑑みた着磁比率（有効区間：無効区間）を任意に決定することができる。
【００９８】
また、以上説明した磁気記録方式では、連続記録部におけるすべての無効区間に有効区間と反対向きの着磁を行っていたが、本発明は、これに限定されない。すなわち、無効区間の着磁をすべて反対向きにする必要はない。
例えば、連続記録部における無効区間を１つおきに有効区間と反対向きの着磁方向にすることもできる。
【００９９】
ここで、上記位置検出装置１００において、スケール部１０における着磁比率（有効区間：無効区間）を７：３とし、連続記録部における無効区間を１つおきに有効区間と反対向きの着磁方向にした磁場解析から得られた各スペーシング（ＣＬ＝１００μｍ，２００μｍ，３００μｍ，４００μｍ）での連続記録部の出力磁場を図３４に示す。また、上記位置検出装置１００において、スペーシング（ＣＬ） を１００μｍとした場合に、アブソリュートパターン検出ヘッド２１により検出される磁場Ａ１の状態を磁場解析した結果を上記同じ情報が連続する領域を１つの長磁石とした場合の磁場Ｂ１の状態を磁場解析した結果とともに図３５に示す。なお、図３５において、網掛けを施して示した領域が検出領域である。
【０１００】
図３５から明らかなように、上記位置検出装置１００では、スペーシング（ＣＬ） を１００μｍとした場合に、アブソリュートパターン検出ヘッド２１により検出される磁場Ａ１は、長磁石とした場合の磁場Ｂ１と比較して、中央部部分で 良好な検出出力が得られる。
【０１０１】
また、これまで述べてきた全非検出部を検出部と逆方向に着磁した方式と同様の効果を得ることが可能である。  すなわち、倍周波の交番磁界のスペーシング特性より優れた特性が得られ、１ビットの ５０％以上の範囲で安定した信号を得ることができる。
【０１０２】
以上説明した着磁方式では、連続記録部における無効区間を1つおきに有効区間と反対向きの着磁方向にした場合について説明したが、有効区間と反対向きの着磁を行う無効区間の位置はこれに限定されない。すなわち無効区間を2つおきに反対向きの方向に着磁してもよいし、異なるパターンを用いてもよい。スペーシング特性や最小信号が最大の特性を得られるよう、有効区間と反対向きの着磁を行う無効区間の位置を決定する。
【０１０３】
また以上説明した着磁方式では、着磁比率（有効区間：無効区間）を７：３とした場合について説明したが、着磁比率はこれに限定されない。すなわち着磁比率（有効区間：無効区間）を５：５〜１０：０の間のいずれの着磁比率（有効区 間：無効区間）においても、適用することができ同様の特性を得ることができる。
【０１０４】
なお、以上説明した本発明の実施の形態では、磁気記録方式の位置検出装置１００に本発明を適用したが、本発明は、上記実施の形態のみに限定されるものでなく、例えば図３３に示すように、２値情報で構成される非繰り返し信号が記録された第１の記録トラック１１１と上記非繰り返し信号の１単位情報の区間内の読み取り区間を特定する信号が記録された第２の記録トラック１１２とを有する光学スケール１１０を用いる光学式の位置検出装置に本発明を適用することもできる。
【符号の説明】
【０１０５】
１０  スケール部、１１  アブソリュートトラック、１２  インクリメンタルトラック、２０  ヘッド部、２１  アブソリュートパターン検出ヘッド、２２Ａ，２２Ｂ  インクリメンタル信号検出ヘッド、３０  演算処理部、３１  Ｓ／Ｈ＆アナログセレクタ、３２，３２Ａ，３２Ｂ  Ａ／Ｄ変換器、３３  読み取り補償部、３４  補正回路、３５  ルックアップテーブル、３６  Ｍコード変換部、３７  加算部、３８  シリアルインターフェース部、１００  位置検出装置、１１０  光学スケール、１１１  第１の記録トラック、１１２  第２の記録トラック
【図１】
2014089182.tif 000003
【図２】
2014089182.tif 000004
【図３】
2014089182.tif 000005
【図４】
2014089182.tif 000006
【図５】
2014089182.tif 000007
【図６】
2014089182.tif 000008
【図７】
2014089182.tif 000009
【図８】
2014089182.tif 000010
【図９】
2014089182.tif 000011
【図１０】
2014089182.tif 000012
【図１１】
2014089182.tif 000013
【図１２】
2014089182.tif 000014
【図１３】
2014089182.tif 000015
【図１４】
2014089182.tif 000016
【図１５】
2014089182.tif 000017
【図１６】
2014089182.tif 000018
【図１７】
2014089182.tif 000019
【図１８】
2014089182.tif 000020
【図１９】
2014089182.tif 000021
【図２０】
2014089182.tif 000022
【図２１】
2014089182.tif 000023
【図２２】
2014089182.tif 000024
【図２３】
2014089182.tif 000025
【図２４】
2014089182.tif 000026
【図２５】
2014089182.tif 000027
【図２６】
2014089182.tif 000028
【図２７】
2014089182.tif 000029
【図２８】
2014089182.tif 000030
【図２９】
2014089182.tif 000031
【図３０】
2014089182.tif 000032
【図３１】
2014089182.tif 000033
【図３２】
2014089182.tif 000034
【図３３】
2014089182.tif 000035
【図３４】
2014089182.tif 000036
【図３５】
2014089182.tif 000037
【図３６】
2014089182.tif 000038